(57)【要約】【課題】液体状の生体試料の電気特性を高精度に測定するための構造を備え、かつ、工業的生産が容易な電気的測定用容器を提供すること。【解決手段】沈降性成分を含有する血液試料を収容するための側壁を有する生体試料保持部と、該生体試料保持部に固定された電気伝導部と、を少なくとも備え、前記電気伝導部は、測定時に前記血液試料と接触する電極部と、外部回路と電気的に接続するための接続部と、を少なくとも備え、前記電極部は、前記生体試料保持部において、前記側壁と平行する方向に配置され、前記電極部は、前記生体試料保持部の側壁と接触し、前記電極部は、測定時に底部となる部分から所定距離上側、かつ、測定時に前記血液試料の液面となる部分から所定距離下側に位置する、血液試料の電気的測定用容器を提供する。【選択図】図１
2019015735.tif 000002
【特許請求の範囲】
【請求項１】
沈降性成分を含有する血液試料を収容するための側壁を有する生体試料保持部と、
該生体試料保持部に固定された電気伝導部と、
を少なくとも備え、
前記電気伝導部は、測定時に前記血液試料と接触する電極部と、外部回路と電気的に接続するための接続部と、を少なくとも備え、
前記電極部は、前記生体試料保持部において、前記側壁と平行する方向に配置され、
前記電極部は、前記生体試料保持部の側壁と接触し、
前記電極部は、測定時に底部となる部分から所定距離上側、かつ、測定時に前記血液試料の液面となる部分から所定距離下側に位置する、血液試料の電気的測定用容器。
【請求項２】
前記生体試料保持部は、樹脂からなる請求項１記載の電気的測定用容器。
【請求項３】
前記樹脂は、ポリプロピレン、ポリスチレン、アクリル、およびポリサルホンから選ばれる一種以上の樹脂である請求項２に記載の電気的測定用容器。
【請求項４】
前記電極部が一対以上備えられた請求項１から３のいずれか一項に記載の電気的測定用容器。
【請求項５】
前記一対の電極部は、略平行に配置された請求項４記載の電気的測定用容器。
【請求項６】
前記電極部は、前記側壁に沿うように配置された請求項１から５のいずれか一項に記載の電気的測定用容器。
【請求項７】
前記電極部は、測定時に底部となる部分からの前記沈降性成分の累積堆積分率が体積分率以上となる位置より上側に位置する請求項１から６のいずれか一項に記載の電気的測定用容器。
【請求項８】
測定に最低限必要な時間を経た時における血清層の下限よりも、電極部の上限が下方に位置する請求項１から７のいずれか一項に記載の電気的測定用容器。
【請求項９】
蓋部を有する請求項１から８のいずれか一項に記載の電気的測定用容器。
【請求項１０】
前記電気伝導部の一部に、曲折部を備える請求項１から９のいずれか一項に記載の電気的測定用容器。
【請求項１１】
前記生体試料保持部は、円筒体、断面が多角の多角筒体、円錐体、断面が多角の多角錐体、或いはこれらを１種または２種以上組み合わせた形態である請求項１から１０のいずれか一項に記載の電気的測定用容器。
【請求項１２】
前記電気伝導部は、チタンを含む電気伝導性素材からなる請求項１から１１のいずれか一項に記載の電気的測定用容器。
【請求項１３】
前記血液試料の誘電率を測定するために用いられる請求項１から１２のいずれか一項に記載の電気的測定用容器。
【請求項１４】
前記血液試料のインピーダンスを測定するために用いられる請求項１から１３のいずれか一項に記載の電気的測定用容器。
【請求項１５】
血沈状況を測定するために用いられる請求項１から１４のいずれか一項に記載の電気的測定用容器。
【請求項１６】
血液凝固状況を測定するために用いられる請求項１から１５のいずれか一項に記載の電気的測定用容器。
【請求項１７】
沈降性成分を含有する血液試料を収容するための側壁を有する生体試料保持部と、
測定時において少なくとも一部が前記血液試料と接触する電気伝導部と、
該電気伝導部に電圧を印加する印加部と、
前記血液試料の電気的特性を測定する測定部と、
を少なくとも備え、
前記電気伝導部は、測定時に前記血液試料と接触する電極部と、外部回路と電気的に接続するための接続部と、を少なくとも備え、
前記電極部は、前記生体試料保持部において、前記側壁と平行する方向に配置され、
前記電極部は、前記生体試料保持部の側壁と接触し、
前記電極部は、測定時に底部となる部分から所定距離上側、かつ、測定時に前記血液試料の液面となる部分から所定距離下側に位置する、血液試料の電気的測定装置。
【請求項１８】
沈降性成分を含有する血液試料を収容するための側壁を有する生体試料保持部と、
該生体試料保持部に固定された電気伝導部と、
を少なくとも備え、
前記電気伝導部は、測定時に前記血液試料と接触する電極部と、外部回路と電気的に接続するための接続部と、を少なくとも備え、
前記電極部は、前記生体試料保持部において、前記側壁と平行する方向に配置され、
前記電極部は、前記生体試料保持部の側壁と接触し、
前記電極部は、測定時に底部となる部分から所定距離上側、かつ、測定時に前記血液試料の液面となる部分から所定距離下側に位置する血液試料の電気的測定用容器を用いて、
前記血液試料の電気的特性を測定する液体状の血液試料の電気的測定方法。
【発明の詳細な説明】
【技術分野】
【０００１】
本技術は、液体状の生体試料の電気的特性測定のための電気的測定用容器に関する。より詳しくは、液体状の生体試料の電気特性を高精度に測定するための構造を備え、かつ、工業的生産が容易な電気的測定用容器、並びに該電気的測定用容器を用いた電気的測定装置および電気的測定方法に関する。
【背景技術】
【０００２】
液体状の生体試料の電気的特性を測定し、その測定結果から試料の物性を判定したり、試料に含まれる細胞等の種類を判別したりすることが行われている（例えば、特許文献１参照）。測定される電気的特性としては、複素誘電率やその周波数分散（誘電スペクトル）が挙げられる。複素誘電率やその周波数分散は、一般に、溶液に対して電圧を印加するための電極を備えた溶液保持器等を用いて電極間の複素キャパシタンスないし複素インピーダンスを測定することで算出される。
【０００３】
また、例えば、特許文献２には、血液の誘電率から血液凝固に関する情報を取得する技術が開示されており、「一対の電極と、上記一対の電極に対して交番電圧を所定の時間間隔で印加する印加手段と、上記一対の電極間に配される血液の誘電率を測定する測定手段と、血液に働いている抗凝固剤作用が解かれた以後から上記時間間隔で測定される血液の誘電率を用いて、血液凝固系の働きの程度を解析する解析手段と、を有する血液凝固系解析装置」が記載されている。
【０００４】
液体状の生体試料の電気的特性を測定する際に、生体試料を収容されるための容器としては、例えば、特許文献３に、絶縁性材料を筒状体に形成してなり、両端の開口から内空にそれぞれ挿入される電極の表面と、内空表面と、で構成される領域に液体試料を保持可能であり、前記領域には、対向する２つの電極の間に位置して、内空が狭窄された狭窄部が設けられた液体試料の電気的特性測定のためのサンプルカートリッジが開示されている。
【０００５】
ところで、液体状の生体試料の電気的特性を測定するためには、測定用電極を液体状の生体試料に接触させる必要がある。従来は、測定用電極が接着固定された容器に、液体状の生体試料を収容した状態で測定が行われていた。しかし、この方法では、例えば、生体試料として血液の電気特性を測定する場合、用いる接着剤の種類によっては、血液の凝固活性が促進されてしまい、目的の測定に影響を及ぼす場合があるといった問題があった。
【０００６】
また、仮に低凝固性の接着剤を用いた場合であっても、容器を製造するための製造工程が増えることから、生産性に劣るという問題もあった。
【０００７】
一方、接着剤を用いない方法としては、例えば、生体試料を収容するための容器に、外部から電極を挿入した状態で、電気特性を測定する方法が行われている。しかし、この方法では、電極の液体試料中への挿入量の違いにより、測定誤差が生じるという問題があった。
【０００８】
また、外部装置の構成が増えることから、装置の大型化や製造工程の煩雑化の問題や、装置の高価格化等の問題が生じていた。
【先行技術文献】
【特許文献】
【０００９】
【特許文献１】特開２００９−０４２１４１号公報
【特許文献２】特開２０１０−１８１４００号公報
【特許文献３】特開２０１２−０５２９０６号公報
【発明の概要】
【発明が解決しようとする課題】
【００１０】
前述のように、電極が予め接着固定された容器を用いて液体試料の電気的測定を行うと、接着剤による生体物質への影響や低生産性が問題となっていた。一方、外部電極を用いた測定では、測定誤差の問題や装置の大型化、製造工程の煩雑化、装置の高価格化が問題となっていた。
【００１１】
そこで、本技術では、液体状の生体試料の電気特性を高精度に測定するための構造を備え、かつ、工業的生産が容易な電気的測定用容器を提供することを主目的とする。
【課題を解決するための手段】
【００１２】
本願発明者らは、前記課題を解決するために、液体状の生体試料を電気的に測定する際に用いる容器の構造について鋭意研究を行った結果、粘着剤を用いないことに着目し、容器の成形方法を工夫することで、本技術を完成するに至った。
【００１３】
即ち、本技術では、まず、沈降性成分を含有する血液試料を収容するための側壁を有する生体試料保持部と、該生体試料保持部に固定された電気伝導部と、を少なくとも備え、前記電気伝導部は、測定時に前記血液試料と接触する電極部と、外部回路と電気的に接続するための接続部と、を少なくとも備え、前記電極部は、前記生体試料保持部において、前記側壁と平行する方向に配置され、前記電極部は、前記生体試料保持部の側壁と接触し、前記電極部は、測定時に底部となる部分から所定距離上側、かつ、測定時に前記血液試料の液面となる部分から所定距離下側に位置する、血液試料の電気的測定用容器を提供する。
前記生体試料保持部は、樹脂で形成することができる。前記樹脂としては、ポリプロピレン、ポリスチレン、アクリル、およびポリサルホンから選ばれる一種以上の樹脂とすることができる。
前記電気伝導部における前記電極部は、測定の目的に応じて自由に配置することができるが、例えば、前記電極部を一対以上備えることも可能である。この場合、前記一対の電極部は、略平行に配置することができる。
また、前記電極部を、前記側壁に沿うように配置することもできる。
更に、前記電極部は、測定時に底部となる部分からの前記沈降性成分の累積堆積分率が体積分率以上となる位置より上側に位置するように配置することもできる。
加えて、本技術に係る電気的測定用容器において、測定に最低限必要な時間を経た時における血清層の下限よりも、電極部の上限が下方に位置するように配置することもできる。
また、本技術に係る電気的測定用容器は、蓋部を有していてもよい。
更に、前記電気伝導部の一部に、曲折部を備えていてもよい。
加えて、前記生体試料保持部は、円筒体、断面が多角の多角筒体、円錐体、断面が多角の多角錐体、或いはこれらを１種または２種以上組み合わせた形態であるものとすることができる。
また、前記電気伝導部に用いる電気伝導性を有する材料は特に限定されないが、例えば、チタンを含む電気伝導性素材を用いることができる。
本技術に係る電気的測定用容器は、あらゆる電気的測定に用いることができるが、例えば、前記血液試料の誘電率や前記血液試料のインピーダンスを測定するために用いることができる。
具体的には、例えば、血沈状況や血液凝固状況を測定するために用いることができる。
【００１４】
本技術に係る電気的測定用容器は、電気的測定装置の一部として好適に用いることができる。
具体的には、沈降性成分を含有する血液試料を収容するための側壁を有する生体試料保持部と、測定時において少なくとも一部が前記血液試料と接触する電気伝導部と、該電気伝導部に電圧を印加する印加部と、前記血液試料の電気的特性を測定する測定部と、を少なくとも備え、前記電気伝導部は、測定時に前記血液試料と接触する電極部と、外部回路と電気的に接続するための接続部と、を少なくとも備え、前記電極部は、前記生体試料保持部において、前記側壁と平行する方向に配置され、前記電極部は、前記生体試料保持部の側壁と接触し、前記電極部は、測定時に底部となる部分から所定距離上側、かつ、測定時に前記血液試料の液面となる部分から所定距離下側に位置する、血液試料の電気的測定装置を提供する。
【００１５】
また、本技術に係る電気的測定用容器は、血液試料の電気的測定方法に好適に用いることができる。
具体的には、沈降性成分を含有する血液試料を収容するための側壁を有する生体試料保持部と、該生体試料保持部に固定された電気伝導部と、を少なくとも備え、前記電気伝導部は、測定時に前記血液試料と接触する電極部と、外部回路と電気的に接続するための接続部と、を少なくとも備え、前記電極部は、前記生体試料保持部において、前記側壁と平行する方向に配置され、前記電極部は、前記生体試料保持部の側壁と接触し、前記電極部は、測定時に底部となる部分から所定距離上側、かつ、測定時に前記血液試料の液面となる部分から所定距離下側に位置する血液試料の電気的測定用容器を用いて、前記血液試料の電気的特性を測定する液体状の血液試料の電気的測定方法を提供する。
【発明の効果】
【００１６】
本技術に係る電気的測定用容器は、接着剤を用いずに電気伝導部を生体試料保持部に固定されている。そのため、接着剤の影響を受けることなく、液体状の生体試料の電気特性を高精度に測定することができる。また、本技術に係る電気的測定用容器は、製造が容易であるため、安価かつ大量に生産することが可能である。
【図面の簡単な説明】
【００１７】
【図１】本技術に係る電気的測定用容器１の第１実施形態を模式的に示す断面模式図である。
【図２】Ａは本技術に係る電気的測定用容器１の第２実施形態を模式的に示す断面模式図であり、Ｂは、ＡのＬ−Ｌ’矢視断面図である。
【図３】本技術に係る電気的測定用容器１の第３実施形態を模式的に示す断面模式図である。
【図４】Ａは本技術に係る電気的測定用容器１の第４実施形態を模式的に示す断面模式図であり、Ｂは、ＡのＬ−Ｌ’矢視断面図である。
【図５】沈降性成分を含有する生体試料Ｓを用いる場合に、経時的な沈降性成分の沈降の様子と、電極部３の位置との関係を模式的に示す断面模式図である。
【図６】図５に対応した電極部３の位置と、誘電率を測定した場合の測定値との関係の一例を示す図面代用グラフである。
【図７】本技術に係る電気的測定用容器１の第５実施形態を模式的に示す断面模式図である。
【図８】本技術に係る電気的測定用容器１の第６実施形態を模式的に示す断面模式図である。
【図９】本技術に係る電気的測定装置１０の第１実施形態を模式的に示す模式図である。
【発明を実施するための形態】
【００１８】
以下、本技術を実施するための好適な形態について図面を参照しながら説明する。なお、以下に説明する実施形態は、本技術の代表的な実施形態の一例を示したものであり、これにより本技術の範囲が狭く解釈されることはない。なお、説明は以下の順序で行う。
１．電気的測定用容器１
（１）生体試料保持部２
（２）電気伝導部３
（ａ）電極部３１
＜第１実施形態＞
＜第２実施形態＞
＜第３実施形態＞
＜第４実施形態＞
（ｂ）接続部３２
（ｃ）保持部３３
＜第５実施形態＞
（ｄ）曲折部３４
＜第６実施形態＞
（３）生体試料Ｓ
（４）その他
２．電気的測定装置１０
（１）印加部４
（２）測定部５
（３）解析部６
３．電気的測定方法
【００１９】
１．電気的測定用容器１
図１は、本技術に係る電気的測定用容器１の第１実施形態を模式的に示す断面模式図である。本技術に係る電気的測定用容器１は、液体状の生体試料の電気的特性を測定する際に、該生体試料を保持するために用いる容器である。本技術に係る電気的測定用容器１は、大別して、生体試料保持部２と、電気的測定用容器伝導部３と、を少なくとも備える。以下、各部について詳細に説明する。なお、各図面において、説明上、生体試料Ｓを図示しているが、生体試料Ｓは、本技術に係る電気的測定用容器１には包含されない。
【００２０】
（１）生体試料保持部２
生体試料保持部２は、測定対象の液体状生体試料が保持される部位である。本技術に係る電気的測定用容器１では、この生体試料保持部２が樹脂からなること特徴とする。
【００２１】
本技術に係る電気的測定用容器１において、生体試料保持部２に用いる樹脂の種類は特に限定されず、液体状の生体試料の保持に適用可能な樹脂を、１種または２種以上自由に選択して用いることができる。例えば、ポリプロピレン、ポリメチルメタクリレート、ポリスチレン、アクリル、ポリサルホン、ポリテトラフルオロエチレンなどの疎水性かつ絶縁性のポリマーやコポリマー、ブレンドポリマーなどが挙げられる。本技術では、この中でも特に、ポリプロピレン、ポリスチレン、アクリル、およびポリサルホンから選ばれる一種以上の樹脂で生体試料保持部２を形成することが好ましい。これらの樹脂は、血液に対して低凝固活性であるという性質を有するため、例えば、血液を含有する生体試料の測定にも好適に用いることができる。
【００２２】
本技術に係る電気的測定用容器１において、生体試料保持部２の具体的な形態も特に限定されず、液体状の生体試料Ｓを保持可能であれば、円筒体、断面が多角（三角、四角或いはそれ以上）の多角筒体、円錐体、断面が多角（三角、四角或いはそれ以上）の多角錐体、或いはこれらを１種または２種以上組み合わせた形態など、生体試料Ｓの種類や測定方法、用いる測定装置などに応じて自由に設計することができる。
【００２３】
液体状の生体試料Ｓは、生体試料保持部２に保持された状態で、各種電気的特性の測定が行われる。そのため、生体試料保持部２は、生体試料Ｓを保持した状態で密封可能な構成であることが好ましい。ただし、液体状の生体試料Ｓの各種電気的特性を測定するのに要する時間停滞可能であって、測定に影響がなければ、気密な構成でなくてもよいものとする。
【００２４】
生体試料保持部２への液体状生体試料Ｓの具体的な導入および密閉方法は特に限定されず、生体試料保持部２の形態に応じて自由な方法で導入することができる。例えば、図示しないが、生体試料保持部２に蓋部を設け、ピペットなどを用いて生体試料Ｓを導入した後に蓋部を閉じて密閉する方法や、生体試料保持部の外表面から注射針を穿入し、液体状の生体試料Ｓを注入した後、注射針の貫通部分を、グリスなどで塞ぐことで、密閉する方法などが挙げられる。
【００２５】
（２）電気伝導部３
本技術に係る電気的測定用容器１において、電気伝導部３は、予め、生体試料保持部２に固定されていることを特徴とする。特に、本技術では、電気伝導部３の一部が生体試料保持部２に埋入された状態で、生体試料保持部２と電気伝導部３とが一体成形されていることが特徴である。即ち、生体試料保持部２と電気伝導部３との固定には、接着剤などの固定材料は用いない。
【００２６】
接着剤を用いて固定する場合、用いる接着剤の種類によっては、生体試料Ｓの性質に影響を及ぼす場合がある。例えば、生体試料Ｓとして血液の電気特性を測定する場合、用いる接着剤の種類によっては、血液の凝固活性が促進されてしまい、目的の測定に影響を及ぼす場合がある。しかし、本技術に係る電気的測定用容器１は、生体試料保持部２と電気伝導部３との固定に接着剤を用いないため、接着剤による生体試料Ｓへの影響を排除することができる。その結果、生体試料Ｓの電気特性を高精度に測定することが可能となる。
【００２７】
また、仮に生体試料Ｓへの影響が少ない接着剤を用いた場合であっても、容器を製造する際に接着剤による接着工程が増えることから、生産性に劣るという問題もあった。しかし、本技術に係る電気的測定用容器１の製造工程では、生体試料保持部２と電気伝導部３とが一体成形するため、生体試料保持部２の成形工程に加えて接着工程を別に設ける必要がない。その結果、電気的測定用容器１の製造が容易となり、安価かつ大量に電気的測定用容器１を生産することが可能となる。
【００２８】
一方、接着剤を用いない方法としては、例えば、生体試料を収容するための容器に、外部から電極を挿入した状態で、電気的特性を測定する方法がある。この方法では、電極の液体試料中への挿入量の違いにより、測定誤差が生じるという問題があった。しかし、本技術に係る電気的測定用容器１では、生体試料保持部２に予め電気伝導体３が固定されている。そのため、後述するように、この電気伝導体３を電極として用いることで、電極の液体試料中への挿入量の違いによる測定誤差をなくすことができる。その結果、生体試料Ｓの電気特性を高精度に測定することが可能である。
【００２９】
また、生体試料保持部２に予め電気伝導体３が固定されていることで、装置側に電極と容器との相対的位置決め機構などを設置する必要がなく、装置の構成を簡易化することができる。その結果、装置の小型化や製造工程の簡易化、装置の低価格化などの実現にも貢献することができる。
【００３０】
更に、電気的測定用容器１の部品点数を減らすことができるため、使用者の利便性を向上させることも可能である。
【００３１】
生体試料保持部２と電気伝導部３とを一体成形するための具体的な方法は特に限定されず、電気伝導部３の一部が生体試料保持部２に埋入された状態で、生体試料保持部２と電気伝導部３とを接着剤を用いずに固定することができれば、自由な方法を用いることができる。例えば、生体試料保持部２を形成する樹脂が溶融状態から固化する際に、電気伝導部３を所定位置に配置することで、生体試料保持部２と電気伝導部３とを一体成形することができる。より具体的な方法としては、例えば、金型内に電気伝導部３を挿入し、その周りに樹脂を注入して電気伝導部３と樹脂とを一体化する、所謂、インサート成形により、生体試料保持部２と電気伝導部３とを一体成形することも可能である。
【００３２】
このように、本技術に係る電気的測定用容器１は、生体試料保持部２の成形を行う際に、同時に電気伝導部３を固定するため、製造工程の簡易化を図ることができる。その結果、安価かつ大量に電気的測定用容器１を生産することが可能となる。
【００３３】
電気伝導部３は、電気伝導性の材料からなる。本技術に係る電気的測定用容器１において、電気伝導部３に用いる電気伝導性材料の種類は特に限定されず、液体状の生体試料Ｓの電気的測定に適用可能な材料を、１種または２種以上自由に選択して用いることができる。例えば、チタン、アルミニウム、ステンレス、白金、金、銅、黒鉛などが挙げられる。本技術では、この中でも特に、チタンを含む電気伝導性素材で電気伝導部３を形成することが好ましい。チタンは、血液に対して低凝固活性であるという性質を有するため、例えば、血液を含有する生体試料の測定にも好適に用いることができる。
【００３４】
電気伝導部３は、電極部３１と、接続部３２と、を備えることができる。また、必要に応じて、保持部３３と、曲折部３４と、を更に備えることもできる。以下、各部について、詳細に説明する。
【００３５】
（ａ）電極部３１
電極部３１は、測定時に生体試料Ｓと接触し、生体試料Ｓに必要な電圧を印加するために用いられる。本技術に係る電気的測定用容器１において、電極部３１の数は、目的の電気的測定の方法などに応じて、自由に設計することができる。例えば、生体試料Ｓの誘電率やインピーダンスを測定する場合には、一対以上の電極部３１を設けることができる。
【００３６】
また、電極部３１の配置や形態なども特に限定されず、生体試料Ｓに必要な電圧を印加することができれば、目的の電気的測定の方法などに応じて、自由に設計することができる。以下、電極部３１の配置の例について、詳細に説明する。
【００３７】
＜第１実施形態＞
図１に示す第１実施形態は、一対の電極部３１を、生体試料保持部２の内壁に沿うように配置した例である。より具体的には、電気伝導部３の一部が生体試料保持部２の側壁に埋入された状態で、生体試料保持部２の内部に電極部３１を、生体試料保持部２の外部に後述する接続部３２を、配置した例である。電極部３１は、生体試料保持部２の側壁の中央付近に配置されている。
【００３８】
＜第２実施形態＞
図２Ａは、本技術に係る電気的測定用容器１の第２実施形態を模式的に示す断面模式図であり、図２Ｂは、図２ＡのＬ−Ｌ’矢視断面図である。第２実施形態は、一対の電気伝導部３を、生体試料保持部２の底壁部から突き出た状態で配置した例である。より具体的には、電気伝導部３の一部が生体試料保持部２の底壁部に埋入された状態で、生体試料保持部２の内部に電極部３１を、生体試料保持部２の外部に後述する接続部３２を、配置した例である。
【００３９】
本実施形態において、電極部３１の形態は特に限定されず、生体試料保持部２の形状や目的の電気的測定方法に応じて自由に設計することができる。本発明では特に、測定効率を向上させるためにも、平面的に液体試料に接することが好ましい。具体的な形態としては、図２Ｂに示すように、電極部３１の液体試料と接触する部分を幅広に形成することで、液体試料に対し平面的に接することが可能である。
【００４０】
＜第３実施形態＞
図３は、本技術に係る電気的測定用容器１の第３実施形態を模式的に示す断面模式図である。第３実施形態は、一対の電極部３１を、電気的測定用容器１の内壁の一部を構成するように、配置した例である。より具体的には、各電極部３１の一部が生体試料保持部２の側壁に埋入された状態で、電気的測定用容器１の内壁の一部として電極部３１を、生体試料保持部２の外部に後述する接続部３２を、配置した例である。
【００４１】
このように、電極部３１が電気的測定用容器１の内壁の一部を構成するように配置する場合、図３の第３実施形態に示すように、生体試料保持部２と電極部３１との接続部が平滑になるように一体成形することが好ましい。液体状の生体試料Ｓの場合、容器内に段差などがあると、気泡などがその部分に留まってしまい、測定値に影響を及ぼす場合がある。しかし、生体試料保持部２と電極部３１との境界に段差などが生じないように設計することで、気泡などの留まりを防止し、その結果、生体試料Ｓの電気特性をより高精度に測定することが可能となる。
【００４２】
なお、一対以上の電極部３１を備える場合、生体試料Ｓの電気的特性を測定する上では、各電極部３１を平行に配置することが好ましい。ただし、例えば、インサート成形などを行う場合の離型性などを考慮して、数度の傾きを持たせた状態で、各電極部３１を配置することも可能である。
【００４３】
＜第４実施形態＞
図４Ａは、本技術に係る電気的測定用容器１の第４実施形態を模式的に示す断面模式図であり、図４Ｂは、図４ＡのＬ−Ｌ’矢視断面図である。第４実施形態は、一対の電気伝導部３を、生体試料保持部２の上壁部から突き出た状態で配置した例である。より具体的には、電気伝導部３の一部が生体試料保持部２の上壁部に埋入された状態で、生体試料保持部２の内部に電極部３１を、生体試料保持部２の外部に後述する接続部３２を、配置した例である。生体試料保持部２の上壁部から電気伝導部３を突き出すことで、例えば、前述した第２実施例のように底壁部から電気伝導部３を突き出す実施形態に比べて、試料の液漏れをより確実に防止することができる。
【００４４】
本実施形態において、電極部３１の形態は特に限定されず、生体試料保持部２の形状や目的の電気的測定方法に応じて自由に設計することができる。例えば、前述した第２実施形態と同様に、電極部３１の液体試料と接触する部分を幅広に形成することで（図４Ｂ参照）、液体試料に対し平面的に接するように設計すれば、測定効率を向上させることが可能である。
【００４５】
第１、第３、第４実施形態に係る電気的測定用容器１は、電極部３を測定時に底部となる部分から所定距離上側に位置するように配置することも特徴とする。例えば、後述するように、生体試料Ｓとして沈降性成分を含有する生体試料を用いる場合、電極部３が測定時に底部となる部分から所定距離上側に位置することで、経時的な沈降性成分の沈降による影響を抑えることができる。その結果、生体試料Ｓの電気特性をより高精度に測定することが可能となる。
【００４６】
沈降性成分を含有する生体試料Ｓを用いる場合の電極部３の好適な位置決めについて、図５および図６を参照しながら説明する。図５は、沈降性成分を含有する生体試料Ｓを用いる場合に、経時的な沈降性成分の沈降の様子と、電極部３の位置との関係を模式的に示す断面模式図である。図６は、図５に対応した電極部３の位置と、誘電率を測定した場合の測定値との関係の一例を示す図面代用グラフである。
【００４７】
例えば、図５Ｂに示すように、電極部３を、測定時に底部となる部分から所定距離上側に位置するように配置した場合、図６Ｂに示すように、測定から一定の間は、一定の誘電率を示す。これは、図５Ｂに示すように、経時的に沈降性成分の沈降が進行した場合でも、一定時間までは、一対の電極部３で挟まれた領域の沈降性成分の濃度にほとんど変化がないからである。
【００４８】
一方、図５Ａに示すように、電極部３を高い位置に配置した場合、図６Ａに示すように、測定開始からすぐに、誘電率が上昇する。これは、図５Ａに示すように、沈降性成分の沈降の進行により、測定開始からすぐに、一対の電極部３で挟まれた領域の沈降性成分の濃度が低下していくためである。
【００４９】
また、図５Ｃに示すように、電極部３を低い位置に配置した場合、図６Ｃに示すように、測定開始からすぐに、誘電率が下降する。これは、図５Ｃに示すように、沈降性成分の沈降の進行により、測定開始からすぐに、一対の電極部３で挟まれた領域の沈降性成分の濃度が上昇していくためである。
【００５０】
このように、図５Ｂに示すように、電極部３を、測定時に底部となる部分から所定距離上側に位置するように配置することで、生体試料Ｓ中で沈降性成分の沈降が進行した場合であっても、途中までは、測定値に影響を与えることなく正確な測定が可能である（図６Ｂ参照）。より具体的な位置としては、電極部３を、測定時に底部となる部分からの沈降性成分の累積堆積分率が体積分率以上となる位置より上側に位置するように配置することが好ましい。このような位置に配置することで、より長い時間、正確な測定が可能となる。
【００５１】
なお、図６の図面代用グラフの誘電率の相対変化は、あくまでも一例を示すものであり、測定対象の生体試料Ｓの種類などによっても、その変化はそれぞれ異なる。
【００５２】
沈降性成分を含有する生体試料Ｓの一例として、全血を測定対象とする場合について説明する。健常成人の場合、全血は、体積割合４０％程度の赤血球を含む。赤血球は、静置条件下で沈降し、最終的には容器下部に沈殿する。一方、上層部には主に血清が集合する。沈降プロセスが進行中は、大まかに、下方から赤血球沈殿層、全血層、血清層の３層が存在することになる。
【００５３】
全血を測定対象とする場合、全血の測定をできる限り長時間行えるように、電極部３を配置することが望ましい。具体的には、電極部３から発せられ対象試料を貫く電気力線の大部分が、容器中に順次生じる赤血球沈殿層と血清層とを避け、継続して全血層を通過するように配置するのが望ましい。これを満たすより具体的な配置としては、下方からの累積体積分率が赤血球体積分率以上となる位置より電極部３の下限が上方に位置するように、電極部３を配置することが好ましい。また、測定に最低限必要な時間を経た時における血清層の下限よりも、電極部３の上限が下方に位置するように、電極部３を配置することが好ましい。
【００５４】
（ｂ）接続部３２
接続部３２は、外部回路と電気的に接続する部位である。接続部３２の具体的な形態は特に限定されず、外部回路と電気的に接続することが可能であれば、自由な形態に設計することができる。
【００５５】
（ｃ）保持部３３
＜第５実施形態＞
図７は、本技術に係る電気的測定用容器１の第５実施形態を模式的に示す断面模式図である。第５実施形態は、一対の電極部３１の容器外側部分に、樹脂を備えない構成である。このような構成にすることで、例えば、生体試料保持部２の成形時に、電気伝導部３を、例えば、マグネットＭなどを用いて位置決め固定することで、電気伝導部３（特に電極部３１）を電気的測定用容器１の所望の位置に位置決めすることができる（図７Ｂ参照）。
【００５６】
なお、容器外部からの固定手段としては、図７Ｂに示すマグネットＭに限らず、容器外部から電気伝導部３を固定することができる手段であれば、あらゆる手段を用いることができる。
【００５７】
このように、電気伝導部３の少なくとも一部を、一体成形時に電気伝導部３を生体試料保持部２の所定箇所に配置させるための保持部３３として機能させることで、電気伝導部３が所望の位置に位置決めされた電気的測定用容器１を容易に製造することが可能である。
【００５８】
また、生体試料保持部２の成形時に、電気伝導部３が保持されることで、一体成形時に電気伝導部３が変形することも防止可能である。
【００５９】
なお、図７に示す第５実施形態では、電極部３１が同時に保持部３３としても機能する構成であるが、本技術ではこれに限定されない。例えば、接続部３２が同時に保持部３３を機能するように設計することも自由である。
【００６０】
（ｄ）曲折部３４
＜第６実施形態＞
図８は、本技術に係る電気的測定用容器１の第６実施形態を模式的に示す断面模式図である。第６実施形態は、電気伝導部３の生体試料保持部２に埋入された部分に、曲折部３４を備えることを特徴とする。
【００６１】
本技術に係る電気的測定用容器１は、生体試料保持部２と電気伝導部３とが接着剤などを用いずに一体成形されたことを特徴とするため、生体試料保持部２と電気伝導部３との境界から、液体状の生体試料Ｓが漏れ出すことは非常に稀である。しかし、樹脂と電気伝導性素材とのひずみの違いなどによって、温度などの保管条件や測定条件によっては、生体試料保持部２と電気伝導部３との境界から、液体状の生体試料Ｓが漏れ出す可能性は否定できない。そこで、図８に示す第６実施形態のように、電気伝導部３の生体試料保持部２に埋入された部分に、曲折部３４を備えることで、例えば、曲折部３４を備えない第５実施形態（図７参照）などに比べ、生体試料保持部２と電気伝導部３との境界からの生体試料Ｓの漏れ出しを、防止することが可能である。
【００６２】
また、電気伝導部３の生体試料保持部２に埋入された部分に、曲折部３４を備えることで、生体試料保持部２と電気伝導部３との固定がより強固になるため、より頑丈な電気的測定用容器１とすることができる。
【００６３】
（３）生体試料Ｓ
本技術で測定対象とすることが可能な生体試料Ｓは、液体状であれば特に限定されず、自由に選択することができる。例えば、沈降性成分を含有する生体試料Ｓなどが挙げられる。より具体的には、全血、血漿、またはこれらの希釈液および／または薬剤添加物などの血液成分を含有する生体試料Ｓなどを挙げることができる。
【００６４】
（４）その他
本技術に係る電気的測定用容器１には、予め、所定の薬剤を入れておくことも可能である。例えば、血液成分を含有する生体試料Ｓを測定対象とする場合などは、抗凝固剤、凝固開始剤などを予め電気的測定用容器１の生体試料保持部２に入れておくことができる。
【００６５】
本技術に係る電気的測定用容器１は、前述の通り、安価かつ大量に生産することが可能である。この特徴を利用して、例えば、本技術に係る電気的測定用容器１を使い捨てのカートリッジとすることも可能である。本技術に係る電気的測定用容器１を使い捨てのカートリッジとすることで、容器の洗浄などの手間を省くことができ、測定の効率化を図ることができる。また、容器内に残った別の生体試料Ｓによる測定誤差などの発生を防止でき、生体試料Ｓの電気特性をより高精度に測定することが可能となる。
【００６６】
２．電気的測定装置１０
図９は、本技術に係る電気的測定装置１０の第１実施形態を模式的に示す模式図である。本実施形態では、前述した第６実施形態に係る電気的測定用容器１を用いている。本技術に係る電気的測定装置１０は、大別して、前述した電気的測定用容器１と、印加部４と、測定部５と、を少なくとも備える。また、必要に応じて、解析部６を更に備えることもできる。以下、各部について詳細に説明する。なお、電気的測定用容器１は、前述と同様であるため、ここでは説明を割愛する。
【００６７】
（１）印加部４
印加部４は、本技術に係る電気的測定用容器１の電気伝導部３に電圧を印加する。印加部４は、測定を開始すべき命令を受けた時点または電気的測定装置１０の電源が投入された時点を開始時点として、電気的測定用容器１の電気伝導部３に電圧を印加する。より具体的には、印加部４は、設定される測定間隔ごとに、電気伝導部３に対して、所定の周波数の交流電圧を印加する。なお、印加部４が印加する電圧は、測定する電気特性に応じて直流電圧とすることも可能である。
【００６８】
（２）測定部５
測定部５では、本技術に係る電気的測定用容器１に保持された液体状の生体試料Ｓの電気的特性を測定する。具体的には、測定を開始すべき命令を受けた時点または電気的測定装置１０の電源が投入された時点を開始時点として、複素誘電率（以下、単に「誘電率」とも称する）やその周波数分散などの電気特性を測定する。より具体的には、例えば、誘電率が測定される場合、測定部５は、電気的測定用容器１の電極部３１間における電流またはインピーダンスを所定周期で測定し、当該測定値から誘電率を導出する。この誘電率の導出には、電流またはインピーダンスと誘電率との関係を示す既知の関数や関係式を用いることができる。
【００６９】
（３）解析部６
解析部６では、測定部５から導出された生体試料Ｓの電気的特性データを受けて、生体試料Ｓの物性の判定などを行う。本技術に係る電気的測定装置１０において、解析部６は必須ではなく、例えば、前記測定部５で測定された電気的特性データから、外部のコンピュータなどを用いて解析を行うことも可能である。
【００７０】
具体的には、解析部６には、測定部５から導出された生体試料Ｓの電気的特性データが測定間隔ごとに与えられ、解析部６は、測定部５から与えられる電気的特性データを受けて、液体試料の物性判定等を開始する。解析部６は、液体試料の物性判定などの結果および／または誘電率データを通知する。この通知は、例えば、グラフ化してモニタに表示あるいは所定の媒体に印刷することにより行うことができる。
【００７１】
３．電気的測定方法
本技術に係る電気的測定用容器１は、液体状の生体試料Ｓの電気的特性の測定に好適に用いることができる。本技術に係る電気的測定方法で測定可能な電気的特性は特に限定されず、測定対象となる生体試料Ｓの種類や、解析すべき物性などに応じて、自由に測定することができる。例えば、誘電率やインピーダンスなどを測定することができる。
【００７２】
本技術に係る電気的測定方法を用いれば、例えば、測定対象を血液とした場合、誘電率やインピーダンスの測定値から、血液凝固状況や血沈状況を解析することができる。より具体的には、例えば、解析期間内に受け取った複数の誘電率および／またはインピーダンスの測定値からそれぞれの特徴を示すパラメータを抽出し、このパラメータと、血液凝固能の亢進や血沈プロセス進行の基準を定める基準値との比較に基づき、血液凝固状況や血沈状況を解析することができる。
【００７３】
なお、本技術は、以下のような構成も取ることができる。
（１）液体状の生体試料を収容するための樹脂からなる生体試料保持部と、
該生体試料保持部に固定された電気伝導部と、を少なくとも備え、
前記電気伝導部の一部が前記生体試料保持部に埋入された状態で、前記生体試料保持部と前記電気伝導部が一体成形された液体状の生体試料の電気的測定用容器。
（２）前記電気伝導部は、前記生体試料保持部にインサート成型されることにより一体化された（１）記載の電気的測定用容器。
（３）前記電気伝導部は、
測定時に前記生体試料と接触する電極部と、
外部回路と電気的に接続するための接続部と、
を少なくとも備える（１）または（２）に記載の電気的測定用容器。
（４）前記電極部が一対以上備えられた（３）記載の電気的測定用容器。
（５）前記電極部は、前記電気的測定用容器の内壁の一部を構成する（３）または（４）に記載の電気的測定用容器。
（６）前記内壁において、前記生体試料保持部と前記電極部との接続部が平滑である（５）記載の電気的測定用容器。
（７）前記電極部は、測定時に底部となる部分から所定距離上側に位置する（３）から（６）のいずれか一項に記載の電気的測定用容器。
（８）前記電気伝導部の少なくとも一部は、前記一体成型時に前記電気伝導部を前記生体試料保持部の所定箇所に配置させるための保持部として機能する（１）から（７）のいずれか一項に記載の電気的測定用容器。
（９）前記生体試料は、沈降性成分を含有する（１）から（８）のいずれか一項に記載の電気的測定用容器。
（１０）前記生体試料は、血液成分を含有する（１）から（９）のいずれか一項に記載の電気的測定用容器。
（１１）前記生体試料は、沈降性成分を含有し、
前記電極部は、測定時に底部となる部分からの前記沈降性成分の累積堆積分率が累積堆積分率が前記沈降性成分の体積分率以上となる位置より上側に位置する（９）記載の電気的測定用容器。
（１２）前記電気伝導部の前記生体保持部に埋入された部分に、曲折部を備える（１）から（１１）のいずれか一項に記載の電気的測定用容器。
（１３）前記樹脂は、ポリプロピレン、ポリスチレン、アクリル、およびポリサルホンから選ばれる一種以上の樹脂である（１）から（１２）のいずれか一項に記載の電気的測定用容器。
（１４）前記電気伝導部は、チタンを含む電気伝導性素材からなる（１）から（１３）のいずれか一項に記載の電気的測定用容器。
（１５）前記生体試料の誘電率を測定するために用いられる（１）から（１４）のいずれか一項に記載の電気的測定用容器。
（１６）前記生体試料のインピーダンスを測定するために用いられる（１）から（１５）のいずれか一項に記載の電気的測定用容器。
（１７）血沈状況を測定するために用いられる（１０）記載の電気的測定用容器。
（１８）血液凝固状況を測定するために用いられる（１０）または（１７）に記載の電気的測定用容器。
（１９）液体状の生体試料を収容するための樹脂からなる生体試料保持部と、
測定時において少なくとも一部が前記生体試料と接触する電気伝導部と、
該電気伝導部に電圧を印加する印加部と、
前記生体試料を電気的に測定する測定部と、
を少なくとも備え、
前記電気伝導部の一部が前記生体試料保持部に埋入された状態で、前記生体試料保持部と前記電気伝導部が一体成形された液体状の生体試料の電気的測定装置。
（２０）液体状の生体試料を収容するための樹脂からなる生体試料保持部と、
該生体試料保持部に固定された電気伝導部と、を少なくとも備え、
前記電気伝導部の一部が前記生体試料保持部に埋入された状態で、前記生体試料保持部と前記電気伝導部が一体成形された液体状の生体試料の電気的測定用容器を用いて、前記生体試料を電気的に測定する液体状の生体試料の電気的測定方法。
【産業上の利用可能性】
【００７４】
本技術に係る電気的測定用容器１は、生体試料保持部２と電気伝導部３との固定に接着剤を用いないため、接着剤による生体試料Ｓへの影響を排除することができる。その結果、生体試料Ｓの電気特性を高精度に測定することが可能である。
【００７５】
また、本技術に係る電気的測定用容器１の製造工程では、生体試料保持部２と電気伝導部３とが一体成形するため、生体試料保持部２の成形工程に加えて接着工程を別に設ける必要がない。その結果、電気的測定用容器１の製造が容易となり、安価かつ大量に電気的測定用容器１を生産することが可能となる。
【００７６】
更に、本技術に係る電気的測定用容器１では、生体試料保持部２に予め電気伝導体３が固定されている。そのため、この電気伝導体３を電極として用いることで、電極の液体試料中への挿入量の違いによる測定誤差をなくすことができる。その結果、生体試料Ｓの電気特性を高精度に測定することが可能である。
【００７７】
加えて、生体試料保持部２に予め電気伝導体３が固定されていることで、装置の構成を簡易化することができ、装置の小型化や製造工程の簡易化、装置の低価格化などの実現にも貢献することができる。
【符号の説明】
【００７８】
１：電気的測定用容器
２：生体試料保持部
３：電気伝導部
３１：電極部
３２：接続部
３３：保持部
３４：曲折部
Ｓ：生体試料
１０：電気的測定装置
４：印加部
５：測定部
６：解析部
Ｍ：マグネット
【図１】
2019015735.tif 000003
【図２】
2019015735.tif 000004
【図３】
2019015735.tif 000005
【図４】
2019015735.tif 000006
【図５】
2019015735.tif 000007
【図６】
2019015735.tif 000008
【図７】
2019015735.tif 000009
【図８】
2019015735.tif 000010
【図９】
2019015735.tif 000011